(57)【要約】【課題】  電気デバイス内の可動電子部品との間に電力及び／又は電気信号を供給するバス構造を提供することを目的とする。また、従来のものより小さい静止摩擦で可動電子部品を移動させ、バス構造に結合される可動電子部品が従来のものよりずっと容易に移動できるようにすることを目的とする。さらに、バス構造が束ねられた部分による相互干渉を遮断し、バス構造を介した画像信号が相互干渉なしに伝達されることを可能とし、かつ、電気デバイスの結果画像の品質を大いに改善させることを目的とする。【解決手段】  バス構造は複数のソフトバス及びソフト分離層を含む。これら複数のソフトバスは相互に並べて束ねられる。当該ソフト分離層は２つの隣接するソフトバスの間に挟まれる。【選択図】  図３
2006081157.tif 000002
【特許請求の範囲】
【請求項１】
平台型スキャナで使用されるバス構造であって：
並置される複数のソフトバス；及び、
２つの隣接するソフトバスの間に挟まれるソフト分離層；
を有することを特徴とするバス構造。
【請求項２】
前記バス構造が前記複数のソフトバスを形成するよう縦線で割れることを特徴とする請求項１に記載のバス構造。
【請求項３】
前記複数のソフトバスのそれぞれが並列に配置されかつ縦に並べて接合される複数組の信号線を有することを特徴とする請求項１に記載のバス構造。
【請求項４】
前記ソフト分離層が前記２つの隣接するソフトバスの１つに付着することを特徴とする請求項１に記載のバス構造。
【請求項５】
前記ソフト分離層が発泡体材料で形成されることを特徴とする請求項１に記載のバス構造。
【発明の詳細な説明】
【技術分野】
【０００１】
本開示は、バス構造に関し、より詳細にはスキャニングデバイスで利用されるバス構造に関する。
【背景技術】
【０００２】
電気信号又はエネルギーを伝達するために、例えば折りたたみ式の電気デバイスなどの電気デバイスでバス構造が広く使用されており、バス構造はしばしば１つの分離部品を他に結合し、或いは可動部品に結合するために利用される。特に電気信号又はエネルギーが電気デバイスの２つの相対的に動く部品間で伝達される場合に、バス構造の可撓特性が電気デバイスの滑らかな動作を可能にする。
【０００３】
スキャナの構造を概略的に図１に示す。図１に示すようにスキャナ２は、サーボ制御のチューブランプ４、回路基板６及びソフトバス８を含む。チューブランプ４がスキャンされる対象に光を発射し、画像センサーが反射光に反応して画像信号を生成する。チューブランプ４は、チューブランプ４の底部に取り付けられる回路基板６からの信号に対応して機能し、さらに、ソフトバス８は、チューブランプ４に所定の働きをさせるため回路基板６にパワー及び信号を供給する。ソフトバス８は、チューブランプ４に取り付けられる回路基板６に接続されるため、ソフトバス８の可撓特性はチューブランプ４が滑らかに動作する上で極めて重要である。
【０００４】
図２で概略的に示すように、従来技術に従って、バス構造１０は、複数のソフトバス１００２及び１００３を含む。最近のトレンドとして、スキャナは寸法がより薄くかつ重量がより軽くなっており、太いバス構造１０はいくつかのより細いソフトバスに分割され、そのようにして、より薄いスキャナの筐体により太いバス構造１０を収容することを可能にしなければならない。従って、図２に示すように、バス構造１０は第１ソフトバス１００２及び第２ソフトバス１００４に分割され、それぞれがバス構造１０より細いものとなる。第１ソフトバス１００２及び第２ソフトバス１００４は、スキャナ２の所要の厚さを低減すべく共に束ねられ、スキャナの寸法を厚さにおいて低減させる。
【発明の開示】
【発明が解決しようとする課題】
【０００５】
チューブランプ４は、スキャナ２の中で前後に移動するよう設計される。しかし、束ねられた第１ソフトバス１００２と第２ソフトバス１００４とが相互に付着している場合には、バス構造１０の厚さが二倍になり、バス構造１０の可撓性は低減する。さらに、ソフトバス間の静止摩擦は、さらにチューブランプ４の動作を妨げるものとなる。束ねられた第１ソフトバス１００２と第２ソフトバス１００４とが相互に付着していない場合には、第１ソフトバス１００２及び第２ソフトバス１００４は相互に接触し、これらソフトバス１００２、１００４を断線させる。さらに、ソフトバスの近接のため、ソフトバスで伝達される信号が相互に干渉しあう場合があり、出力画像の品質がその結果低下する。
【０００６】
上述の不利点の理由から、スリムデザインのトレンドのように、スキャナの寸法を縮小することが極めて重要であるため、前述の欠陥を改善することが不可欠である。
【課題を解決するための手段】
【０００７】
従って、本発明の目的の１つは、電気デバイス内の可動電子部品間に電力及び／又は電気信号を供給するバス構造を提供することである。本発明は、従来のものより小さい静止摩擦で可動電子部品を移動させる。すなわち、本発明に従ったバス構造に結合される可動電子部品が従来のものよりずっと容易に移動できるようにする。さらに、本発明に従ったバス構造の構造は、バス構造の束ねられた部分による相互干渉を遮断することができ、そのようにしてバス構造を介した画像信号が相互干渉なしに伝達されることを可能とし、かつ、電気デバイスの結果画像の品質が大いに改善し得る。
【０００８】
本発明は、スキャニングデバイスで利用されるバス構造に関し、当該バス構造は複数のソフトバス及び少なくとも１つのソフト分離層を含む。当該バス構造は複数のソフトバスを形成すべく縦に分割され、当該複数のソフトバスは束ねられかつ並置される。それぞれのソフト分離層が２つの隣接するソフトバスの間毎に挟まれる。複数のソフトバスのそれぞれは１組の信号線を含み、１組の信号線のそれぞれは並列にかつ縦に並べて接合される複数の信号線を含む。従って、ソフトバスの各ストリップは、少なくとも１つのソフト分離層により相互に遮断される。
【０００９】
本発明の好適な実施例の１つでは、複数のソフトバスが並置され、２つの隣接するソフトバス毎にソフト分離層がその間に挟まれて共に束ねられる。本発明の好適な実施例の１つに従って、ソフト分離層は、ソフトバス間のものよりもソフトバスの表面に対する摩擦係数が小さい発泡体材料で製造されることができ、その上、ソフト分離層が２つの隣接するソフトバスの１つに付着する。そのようにして、本発明に従った動くバス構造の静止摩擦は大いに低減される。
【発明の効果】
【００１０】
その結果、本発明においてソフト分離層を利用するバス構造は、可動電子部品の自由な動きをより容易にかつ滑らかにし、かつ、信号線の選択が画像信号への干渉（混線など）を大いに低減し、このようにして結果画像の品質が大いに改善される。
【００１１】
本発明をこれより図面で図解される好適な実施例を参照して説明する。
【発明を実施するための最良の形態】
【００１２】
図３に概略的に示すように、本発明の好適な実施例に従ったバス構造３２の斜視図で、バス構造３２は可動電子部品３０に結合される。そこで、バス構造３２は、パワー伝達及び／又は可動電子部品３０への電気信号通信を提供する。その上、折りたたみ式の電気デバイスにおいて、本発明の好適な実施例に従ったバス構造３２は、折りたたみ式電気デバイスの２以上の分離部品間にパワーと信号通信を供給するよう使用され得る。
【００１３】
図３に示すように、本発明の１実施例に従ったバス構造３２は、ソフト分離層３４並びに例えば第１ソフトバス３２０２及び第２ソフトバス３２０４などの複数のソフトバスを含む。バス構造３２の一端で、それは第１ソフトバス３２０２及び第２ソフトバス３２０４を形成すべく縦に分断され、さらに、ソフト分離層３４が第１ソフトバス３２０２と第２ソフトバス３２０４との間に挟みこまれる。その上、第１ソフトバス３２０２及び第２ソフトバス３２０４はそれぞれ、並列に配置されかつ縦に並べて接合される１組の信号線を含み、その上、これら信号線は絶縁線として使用される。
【００１４】
第１ソフトバス３２０２及び第２ソフトバス３２０４は、ソフト分離層３４をそれらの間に挟みながら並べて束ねられる。本発明の好適な実施例の１つでは、ソフト分離層３４はソフトバス３２０２、３２０４の１つに付着し、その上、ソフト分離層３４の構造とソフトバスとの間の摩擦係数はソフトバス間のものより小さい。ソフト分離層３４は、本発明の好適なこの実施例においては発泡体材料で製造される。さらに、本発明の好適な１実施例に従って、ソフト分離層３４はソフトバス３２０２、３２０４の一方に付着するよう設計され、他方には接触するのみである。この結果、従来のバス構造に起因する障害なしにバス構造３２を動かせる。
【実施例】
【００１５】
本発明の好適な実施例の１つでは、挟まれたソフト分離層３４がソフトバス３２０２、３２０４と共に１部品で形成され得る。他の好適な実施例では、ソフト分離層３４はいくつかのセクションで形成されることができ、それはソフトバス３２０２及び３２０４を形成する工程とは異なる工程で別々に製造され得る。この実施例では、ソフト分離層３４はいくつかのセクションで形成され、そのようにして全体構造、すなわちソフトバス３２０２及び３２０４並びに挟まれたソフト分離層３４がより柔軟な可撓性を有する。
【００１６】
本発明の好適な実施例に従って、バス構造３２がこれら隣接するソフトバス３２０２とソフトバス３２０４との間に挟まれるソフト分離層３４を利用するので、その結果、電子部品３０は従来のものよりバス構造からの静止摩擦が小さい状態で移動できる。さらに、第１ソフトバス３２０２及び第２ソフトバス３２０４の間の信号線は首尾よく相互の干渉を絶縁し、その結果、本発明に従ったバス構造３２はより小さい干渉（混線など）で信号を伝達でき、かつ、結果の画像品質が大いに改善される。
【００１７】
本発明の好適な実施例が開示目的のために説明されたが、その他の実施例に加えて本発明の開示された実施例の改良が当業者の気づくところとなるであろう。従って、添付の請求項は、本発明の精神及び範囲から逸脱しない実施例のすべてに及ぶことを意図したものである。
【図面の簡単な説明】
【００１８】
【図１】従来のソフトバーを使用するスキャナの概略図である。
【図２】可動電子部品に結合される従来のバス構造を示す図である。
【図３】可能電子部品に結合されるバス構造を示す図であり、当該バス構造は本発明の好適な１実施例に従って概略的に示される。
【符号の説明】
【００１９】
２        スキャナ
４        チューブランプ
６        回路基板
８        ソフトバス
１０      バス構造
１００２  第１ソフトバス
１００４  第２ソフトバス
３０      可動電子部品
３２      バス構造
３４      ソフト分離層
３２０２  第１ソフトバス
３２０４  第２ソフトバス
【図１】
2006081157.tif 000003
【図２】
2006081157.tif 000004
【図３】
2006081157.tif 000005